【手続補正書】
【提出日】平成20年8月25日(2008.8.25)
【手続補正１】
【補正対象書類名】特許請求の範囲
【補正対象項目名】全文
【補正方法】変更
【補正の内容】
【特許請求の範囲】
【請求項１】
複数の官能基を有するポリマーマトリックスを含んで成る樹脂であって、該ポリマーマトリックスが、a)１を超える官能価を有するアルコキシル化化合物、およびb)アルコキシル化一官能性反応性化合物から選択されるアルコキシル化反応性化合物の混合物の重合によって得られ；１を超える官能価を有するアルコキシル化化合物のアルコキシル化部分が、アルコキシル化一官能性反応性化合物のアルコキシル化部分の平均分子量と異なる平均分子量を有する樹脂。
【請求項２】
１を超える官能価を有するアルコキシル化化合物が、ポリエチレングリコールビス(3-メチルオキセタン-3-メチル)エーテル、ポリエチレングリコールビス(3-エチルオキセタン-3-メチル)エーテル、エトキシル化トリメチロールプロパントリス(3-メチルオキセタン-3-メチル)エーテル、エトキシル化ペンタエリトリトールテトラキス(3-メチル-オキセタン-3-メチル)エーテル、ポリエチレングリコールジグリシジルエーテルおよびトリエチレングリコールジビニルエーテル並びにそれらの任意組合せから選択されるアルコキシル化二-またはオリゴ官能性反応性化合物である請求項1に記載の樹脂。
【請求項３】
１を超える官能価を有するアルコキシル化化合物が、一般式：PEGn［式中、nは、ポリエチレングリコールの平均分子量(g/mol)を表す］で示される単分散または多分散ポリエチレングリコール（PEG）のエーテルから選択されるアルコキシル化二-またはオリゴ官能性反応性化合物である請求項1または2に記載の樹脂。
【請求項４】
１を超える官能価を有するアルコキシル化化合物が、一般式：PPGn［式中、nは、ポリプロピレングリコールの平均分子量(g/mol)を表す］で示される単分散または多分散ポリプロピレングリコール（PPG）のエーテルから選択されるアルコキシル化二-またはオリゴ官能性反応性化合物である請求項1または2に記載の樹脂。
【請求項５】
１を超える官能価を有するアルコキシル化化合物が、一般式：(PEG-PPG)n［式中、nは、コポリマー鎖の平均分子量(g/mol)を表す］で示されるエチレングリコールおよびプロピレングリコール単位の単分散または多分散ランダムまたはブロックコポリマー（PEG-PPG）のエーテルから選択されるアルコキシル化二-またはオリゴ官能性反応性化合物である請求項1または2に記載の樹脂。
【請求項６】
アルコキシル化二官能性反応性化合物が、多分散PEG400ビス(3-メチルオキセタン-3-メチル)エーテル、多分散PEG1000ビス(3-メチルオキセタン-3-メチル)エーテル、多分散PEG1500ビス(3-メチルオキセタン-3-メチル)エーテル、多分散PEG2000ビス(3-メチルオキセタン-3-メチル)エーテル、多分散PEG3000ビス(3-メチルオキセタン-3-メチル)エーテル、多分散PEG4000ビス(3-メチルオキセタン-3-メチル)エーテル、多分散PPG400ビス(3-メチルオキセタン-3-メチル)エーテル、多分散PPG2000ビス(3-メチルオキセタン-3-メチル)エーテル、多分散ran-(PEG-PPG)2500ビス(3-メチルオキセタン-3-メチル)エーテル、および多分散トリ-block-(PEG-PPG-PEG)1900ビス(3-メチルオキセタン-3-メチル)エーテル（それらの任意組合せを包含する）から成る群から選択される請求項3〜5のいずれかに記載の樹脂。
【請求項７】
アルコキシル化一官能性反応性化合物が、テトラエチレングリコールモノグリシジルエーテルおよび4-ヒドロキシブチルビニルエーテルから選択される請求項1〜6のいずれかに記載の樹脂。
【請求項８】
アルコキシル化一官能性反応性化合物が、エトキシル化オキセタンおよびプロポキシル化オキセタン（エトキシル化オキセタンおよびプロポキシル化オキセタンの任意組合せを包含する）から成る群から選択される請求項1〜6のいずれかに記載の樹脂。
【請求項９】
エトキシル化一官能性オキセタン化合物が、2〜30のエチレンオキシド単位を有する多分散エトキシル化一官能性オキセタン化合物、例えば(EO)２−３０オキセタン、例えば、(EO)3オキセタン、(EO)6オキセタン、(EO)9オキセタン、(EO)12オキセタンまたは(EO)15オキセタン並びにそれらの任意組合せから選択される請求項8に記載の樹脂。
【請求項１０】
プロポキシル化一官能性オキセタン化合物が、2〜30のプロピレンオキシド単位を有する多分散プロポキシル化一官能性オキセタン化合物、例えば(PO)２−３０オキセタン、例えば、(PO)3オキセタン、(PO)6オキセタン、(PO)9オキセタン、(PO)12オキセタンまたは(PO)15オキセタンから選択される請求項8に記載の樹脂。
【請求項１１】
オキセタンが、3-メチルオキセタン-3-メタノールおよび3-エチルオキセタン-3-メタノール並びに両者の組合せから選択される請求項8〜10のいずれかに記載の樹脂。
【請求項１２】
アルコキシル化一官能性反応性化合物が、多分散の
【化１】
2008510861.tif 000001
を含んで成るかまたはそれから成る請求項1〜11のいずれかに記載の樹脂。
【請求項１３】
アルコキシル化一官能性反応性化合物が、多分散の
【化２】
2008510861.tif 000002
を含んで成るかまたはそれから成る請求項1〜11のいずれかに記載の樹脂。
【請求項１４】
アルコキシル化一官能性反応性化合物が、多分散の
【化３】
2008510861.tif 000003
を含んで成るかまたはそれから成る請求項1〜11のいずれかに記載の樹脂。
【請求項１５】
アルコキシル化一官能性反応性化合物が、多分散の
【化４】
2008510861.tif 000004
を含んで成るかまたはそれから成る請求項1〜11のいずれかに記載の樹脂。
【請求項１６】
官能基の負荷量が0.5〜3mmol/gである請求項1〜15のいずれかに記載の樹脂。
【請求項１７】
水を包含する水性液中での膨潤度が、2mL/g〜20mL/gである請求項1〜16のいずれかに記載の樹脂。
【請求項１８】
平均粒径0.01μm〜1500μmの、請求項1〜17のいずれかに記載の複数の粒状架橋ポリマーマトリックスを含んで成る組成物。
【請求項１９】
請求項1〜17のいずれかに記載の、架橋され、任意に粒状化された樹脂、または請求項18に記載の組成物を製造する方法であって、
a)  a)１を超える官能価を有するアルコキシル化化合物、およびb)アルコキシル化一官能性反応性化合物から選択されるアルコキシル化反応性化合物の混合物を供給する工程（１を超える官能価を有するアルコキシル化化合物のアルコキシル化部分は、アルコキシル化一官能性反応性化合物のアルコキシル化部分の平均分子量と異なる平均分子量を有する）；
b)  アルコキシル化反応性化合物の混合物を重合させる工程；および
c)  請求項1〜17のいずれかに記載の、架橋され、任意に粒状化された樹脂、または請求項18に記載の組成物を得る工程
を含んで成る方法。
【請求項２０】
アルコキシル化反応性化合物の混合物を、任意に溶媒中で粒状化条件下に、開始剤と特定の比率で混合する請求項19に記載の重合法。
【請求項２１】
アルコキシル化反応性化合物の混合物を、溶媒と混合して分散相を形成し、次に、撹拌しながら連続相に注入する請求項20に記載の重合法。
【請求項２２】
ポリマーマトリックスが、粒状であり、逆相懸濁重合または逆相乳化重合によって得られる請求項19〜21のいずれかに記載の重合法。